(57)【要約】【課題】  本発明により安価で寸法対応のし易い断熱箱体と故障時に庫内温度が上昇しにくく、応急運転可能な冷凍サイクルを有する冷蔵庫を提供する。【解決手段】  上記課題に対し、本発明では５枚の所定寸法の断熱パネルを製作し、これを組立成形し断熱箱体とした。さらに、庫内仕切り断熱パネルには冷凍室と冷蔵室を連通する冷気通路を形成し、天板断熱パネルには複数個の冷凍サイクルを併設することで、ダンパと冷気通路を用いて、仮に1つの冷凍サイクルが故障したとしても、残る冷凍サイクルにおいて冷凍室、冷蔵室の冷却を可能とするものとした。【選択図】図６（ｃ）
2005156080.tif 000002
【特許請求の範囲】
【請求項１】
天板、左右側板、背板、底板用からなる５枚の所定寸法の断熱パネルから外箱本体を組立成形し、前記外箱の内部に１枚もしくは複数枚の仕切り断熱パネルを挿入し、なおかつ前記外箱と前記仕切り断熱パネルから囲まれる複数の空間開口部に複数枚の開閉可能な断熱扉を取付けた断熱箱体から形成されることを特徴とする冷蔵庫。
【請求項２】
前記断熱パネルによる外箱体組立成形において、断熱パネルと断熱パネルの結合個所に、金属製枠部材を同時に組み付けることで、外箱体の強度を確保したことを特徴とする請求項１記載の冷蔵庫。
【請求項３】
前記金属製枠部材の裏側内周に結露防止用ヒータを装着したことを特徴とする請求項１記載の冷蔵庫。
【請求項４】
前記断熱パネルの内部に真空断熱材を挿入し断熱性能を高めたことを特徴とする請求項１記載の冷蔵庫。
【請求項５】
前記断熱箱体において天板断熱パネル側に冷凍室を配し、仕切り断熱パネルを介し隣接して冷蔵室を配し、前記仕切り断熱パネルには冷凍室と冷蔵室を連通する冷気通路を形成し、この前記冷気通路にはダンパを設け、一方、前記天板断熱パネルの上面側に圧縮機、凝縮器、凝縮器冷却用ファン、キャピラリーチューブ、電気品を配し、前記天板断熱パネルを介して冷凍室側には蒸発器、冷却ファンを配した冷凍サイクルユニットを複数個前記天板断熱パネルに設置したことを特徴とする冷蔵庫。
【発明の詳細な説明】
【技術分野】
【０００１】
本発明は、家庭用および業務用冷蔵庫に関し、とくに本体を構成する断熱箱体を断熱パネルにより形成したこと、および本体の冷凍サイクルを複数個天板断熱パネル上に形成したことを特徴とするものである。
【背景技術】
【０００２】
現在、冷蔵庫は、その使用環境、形態により種々の寸法のものが使用されている。例えば、業務用冷蔵庫においては、その設置場所がホテルやレストラン等の厨房であり、顧客の仕様に合わせた形にてその寸法が求められる。家庭用冷蔵庫においても同様であり、顧客のニーズに合わせ、幅、奥行き、高さ違いの各種各様の冷蔵庫をシリーズとして生産している。
【０００３】
従来、断熱箱体の製作は、特開２００３-４２６５３号公報に示されるように、外板を構成する鋼鈑製の外箱と、内板を構成する合成樹脂製の内箱との間にて形成した空間に硬質ポリウレタンフォームを充填し行われる。鋼鈑製の外箱は、それぞれ曲げ加工した左右側板と天板、底板を組み合わせて作られ、一方内箱は、合成樹脂板を真空成形により目的形状に張り出して形成する。業務用冷蔵庫等にて内箱が鋼鈑製となるものは外箱と同様に金属製薄板を曲げ加工して内箱とする。この外箱と内箱を組み合わせ発泡治具にセット後、外箱、内箱間の空間に硬質ポリウレタンフォームを充填し断熱箱体とする。
【０００４】
【特許文献１】特開２００３-４２６５３号公報
【発明の開示】
【発明が解決しようとする課題】
【０００５】
上記に示したごとく、これまでの製造方法では、製品サイズに合わせた形で外箱、内箱を成形する必要があり、またそれぞれの製品サイズに合わせた形で発泡治具も準備する必要がある。このため各種サイズの製品を提供しようとする場合、設備が大型化し、また投資金額も莫大なものとなる問題があった。
【０００６】
一方、冷凍室と冷蔵室を有する業務用冷蔵庫においては、その冷凍サイクル構成として冷凍室、冷蔵室の各部屋に蒸発器を配し、各蒸発器は各圧縮機、各凝縮器、各キャピラリーと連結されるのが一般である。この場合、冷凍室もしくは冷蔵室どちらかの冷凍サイクルが故障した場合、その部屋の温度は上昇し食品の安定的な保存ができないことになる。これまで、上記問題の発生時には修理業者による迅速なる対応が図られてきた。しかしながら、どうしても庫内の温度上昇は避けられないという問題があった。
【課題を解決するための手段】
【０００７】
本発明は上記課題を解決するため、天板、左右側板、背板、底板用からなる５枚の所定寸法の断熱パネルを組立成形して外箱とし、前記外箱の内部に１枚もしくは複数枚の仕切り断熱パネルを挿入、前記外箱と前記仕切り断熱パネルから囲まれる複数の空間開口部に複数枚の開閉可能な断熱扉を取付けた断熱箱体から形成される冷蔵庫を特徴とする。また、前記断熱パネルによる外箱体組立成形において、断熱パネルと断熱パネルの結合個所に、金属製枠部材を同時に組み付けることで、外箱体の強度を確保したことを特徴とする。前記金属製枠部材の裏側内周には結露防止用ヒータを装着し、冷凍、冷蔵時の露付き防止を図ることも特徴とする。さらには、前記断熱パネルの内部に真空断熱材を挿入しパネルの断熱性能を高めたことを特徴とする冷蔵庫でもある。さらに、前記断熱箱体において天板断熱パネル側に冷凍室を配し、仕切り断熱パネルを介し隣接して冷蔵室を配した冷蔵庫において、前記仕切り断熱パネルには冷凍室と冷蔵室を連通する冷気通路を形成し、この前記冷気通路にはダンパを設け、一方、前記天板断熱パネルの上面側に圧縮機、凝縮器、凝縮器冷却用ファン、キャピラリーチューブ、電気品を配し、前記天板断熱パネルを介して冷凍室側には蒸発器、冷却ファンを配した冷凍サイクルユニットを複数個前記天板断熱パネルに設置したことを特徴とする冷蔵庫とする。複数個の冷凍サイクルを有し、ダンパと冷気通路により冷凍室、冷蔵室の冷気循環を図る構造とすることで、仮に1つの冷凍サイクルが故障したとしても、残る冷凍サイクルにおいて冷凍室、冷蔵室の冷却を可能とするものである。
【発明の効果】
【０００８】
本発明では、断熱パネル同士の結合から断熱箱体を形成する手法により、種々の大きさの断熱パネルを複数枚組み合わせることでサイズの異なる各種断熱箱体を作ることができ、発泡治具等の投資金額を抑制することが可能となる。また、断熱パネルの結合部には金属製枠部材を組み付けることで、より一層、断熱箱体の強度を増することが可能となる。真空断熱材入りの断熱パネルでは熱漏洩量の少ない省電力に優れる冷蔵庫を提供することが可能である。天板断熱パネルに複数個の冷凍サイクルを配し、仕切り断熱パネルには冷気通路とダンパを形成することで、仮に片方の冷凍サイクルが故障し、冷却ができなくなったとしても、残る片方の冷凍サイクルとダンパの開閉調整により応急運転可能な冷蔵庫が提供できることとなる。
【発明を実施するための最良の形態】
【０００９】
本発明の実施例につき以下図を用いて説明する。
【００１０】
図１は従来の業務用縦型冷蔵庫の外観斜視図（本体１）である。内箱２と外箱３を組み合わせた後、内箱２、外箱３間の空間に硬質ポリウレタンフォーム４を充填し断熱箱体とする。本体１は上部に機械室５を有し、内部に冷凍サイクルユニットが配設されている。
【００１１】
続いて、本発明による断熱パネル７の構造につき、図２（ａ）にて説明する。金属もしくは合成樹脂板からなる板材を、外板８、内板９として樹脂材からなる枠材１０に取付け、外板８、内板９の間に硬質ポリウレタンフォームの断熱材４を充填する。断熱パネル７には、枠材１０に凸部１１と凹部１２があり、凸部と凹部を突き合わせ図２（ｂ）に示すように２枚の断熱パネル７を長ネジ１３で固定し、断熱パネル同士の組立が可能となる。なお、より一層、断熱パネル７同士の結合強度を確保するために、図３に示すように、２枚の断熱パネル７の結合部に金属製枠部材１４を同時に組み付けることを実施してもよい。
【００１２】
図４に、所定厚みにて形成された天板断熱パネル７ａ、左側板断熱パネル７ｂ、右側板断熱パネル７ｃ、背板断熱パネル７ｄ、底板断熱パネル７ｅを組み合わせ、断熱箱体１５としたものを示す。図３にて示したごとく、断熱箱体のより一層の強度を確保すべく、天板断熱パネル７ａと左右側板断熱パネル７ｂ、７ｃ、背板断熱パネル７ｄとの結合部、底板断熱パネル７ｅと左右側板断熱パネル７ｂ、７ｃ、背板断熱パネル７ｄとの結合部、背板断熱パネル７ｄと左右側板断熱パネル７ｂ、７ｃとの結合部、さらには扉が取付けられる冷蔵庫前面開口部に金属性枠部材１４を組付けることを行う。断熱箱体内部には仕切り断熱パネル１６を１枚、もしくは複数枚挿入、組付けすることで、断熱箱体１５内空間を複数個の部屋に区切ることが可能となる。冷蔵庫前面開口部に組付けた金属性枠部材１４の裏側内周部には、ヒータ（図示せず）を取付けることで結露防止も可能となる。金属性枠部材１４は、アルミ、塗装鋼材、ステンレス等、強度の確保できるものでよいが、とくに冷蔵庫前面開口部に組付ける金属性枠部材１４においては、扉６のマグネットパッキンとの密着性から、塗装鋼材もしくはＳＵＳ４３０系のステンレス材が適する。
【００１３】
図５は、断熱パネル７の断熱性能をより向上させるため硬質ポリウレタンフォーム４内部に真空断熱材１７を挿入したものである。冷蔵庫の消費電力量を低減させる策の一つとしては、断熱箱体１５からの熱漏洩量を低減させることが挙げられる。真空断熱材１７は、発泡断熱材である硬質ポリウレタンフォーム４に比べ、その熱伝導率が約1/10以下と小さく、効果的に熱漏洩量を低減させることが可能となる。また、付随する効果としては、断熱性能が向上した分、適宜断熱パネル７の板厚を低減し、冷蔵庫庫内の内容積を確保するといった手段も可能となる。
【００１４】
図６（ａ）は、本発明における実施例の１つとして、天板断熱パネル７ａ側に冷凍室１８、仕切り断熱パネル１６を介し隣接して冷蔵室１９を配した冷蔵庫において、天板断熱パネル７ａの上面側に圧縮機２０、凝縮器２１、凝縮器冷却用ファン（図示せず）、キャピラリーチューブ２２、電気品２３を配し、天板断熱パネル７ａを介して冷凍室１８側に蒸発器２４、冷却ファン２５を配した冷凍サイクルユニットを２個天板断熱パネルに併設したものである。図６（ｂ）は（ａ）の形態において、仕切り断熱パネル１６に冷凍室１８と冷蔵室１９を連通する冷気通路２８とダンパ２９ａ、２９ｂ、２９ｃを形成した図である。通常の状態では、冷凍室冷却用サイクル２６により冷凍室１８の冷却を、また冷蔵室冷却用サイクル２７により、冷気通路２８を通してダンパ２９ｂの開度調節により冷蔵室１９の冷却を行う。一方、仮に、例えば冷凍室冷却用サイクル２６が故障し冷凍室の冷却ができなくなった場合においては、図６(ｃ)に示すごとく、ダンパ２９ａを開口、ダンパ２９ｂを閉じ、ダンパ２９ａとダンパ２９ｃを開度調整することにより、図中矢印３０に示す冷気の循環が行われ、冷凍室１８、冷蔵室１９庫内の冷却が応急的にでも行われることとなり、庫内の食品の損傷を少しでも防ぐことが可能となる。
【図面の簡単な説明】
【００１５】
【図１】従来の業務用縦型冷蔵庫斜視図。
【図２（ａ）】本発明による断熱パネル構造図。
【図２（ｂ）】本発明による断熱パネル組立構造図。
【図３】断熱パネルと金属性枠部材の組立構造図。
【図４】断熱パネル組立による断熱箱体斜視図。
【図５】真空断熱材を挿入した断熱パネル構造図。
【図６（ａ）】冷凍サイクルユニットを天板断熱パネルに２個併設した冷蔵庫構造図。
【図６（ｂ）】通常時の冷凍室、冷蔵室の冷却方法構造図。
【図６（ｃ）】冷凍室冷却用サイクル故障時における冷凍室、冷蔵室冷却方法構造図。
【符号の説明】
【００１６】
１…業務用縦型冷蔵庫本体、２…内箱、３…外箱、４…硬質ポリウレタンフォーム、５…機械室、６…扉、７…断熱パネル、７ａ…天板断熱パネル、７ｂ…左側板断熱パネル、７ｃ…右側板断熱パネル、７ｄ…背板断熱パネル、７ｅ…底板断熱パネル、８…外板、９…内板、１０…枠材、１１…枠材の凸部、１２…枠材の凹部、１３…長ネジ、１４…金属性枠部材、１５…断熱箱体、１６…仕切り断熱パネル、１７…真空断熱材、１８…冷凍室、１９…冷蔵室、２０…圧縮機、２１…凝縮器、２２…キャピラリーチューブ、２３…電気品、２４…蒸発器、２５…冷却ファン、２６…冷凍室冷却用サイクルユニット、２７…冷蔵室冷却用サイクルユニット、２８…冷気通路、２９ａ、２９ｂ、２９ｃ…ダンパ、３０…冷気流れ。
【図１】
2005156080.tif 000003
【図２（ａ）】
2005156080.tif 000004
【図２（ｂ）】
2005156080.tif 000005
【図３】
2005156080.tif 000006
【図４】
2005156080.tif 000007
【図５】
2005156080.tif 000008
【図６（ａ）】
2005156080.tif 000009
【図６（ｂ）】
2005156080.tif 000010
【図６（ｃ）】
2005156080.tif 000011